(57)【要約】【課題】ジャーナル支持壁の強度に影響を及ぼすことなく，締め付けボルトの軸力の強化を可能にした，多気筒エンジンのクランク室間連通構造を提供する。【解決手段】直列するシリンダスリーブ２，２を有するシリンダブロック１に上部クランクケース半体３ａを連設し，この上部クランクケース半体３ａ及び下部クランクケース半体３ｂに形成した上部及び下部ジャーナル支持壁１７，１８によりクランクジャーナル５ｊを支承し，上記両支持壁１７，１８をクランクハウジング５ｊを挟むように配置される一対の締め付けボルト２０により締結した多気筒エンジンにおいて，上部ジャーナル支持壁１７には，相隣るクランク室２２，２２間を連通するブリージング孔２３を，シリンダスリーブ２と一対の締め付けボルト２０とに囲まれる領域内で設けた。【選択図】　　　図２
2004084559.tif 000002
【特許請求の範囲】
【請求項１】
直列する複数のシリンダスリーブ（２）を有するシリンダブロック（１）に上部クランクケース半体（３ａ）を連設し，この上部クランクケース半体（３ａ）と，この上部クランクケース半体（３ａ）に接合される下部クランクケース半体（３ｂ）とでクランクケース（３）を構成し，これら上部クランクケース半体（３ａ）及び下部クランクケース半体（３ｂ）には，クランク軸（５）の複数のクランクジャーナル（５ｊ）を協働して支承する複数の上部ジャーナル支持壁（１７）及び下部ジャーナル支持壁（１８）をそれぞれ一体に成形し，相対向する上部ジャーナル支持壁（１７）及び下部ジャーナル支持壁（１８）を，前記クランクジャーナル（５ｊ）を挟むように配置される一対の締め付けボルト（２０）により相互に締結した，多気筒エンジンにおいて，
前記上部ジャーナル支持壁（１７）には，この上部ジャーナル支持壁（１７）により仕切られるクランクケース（３）内の複数のクランク室（２２，２２）間を連通するブリージング孔（２３）を，前記シリンダスリーブ（２）と前記一対の締め付けボルト（２０）とに囲まれる領域内で設けたことを特徴とする，多気筒エンジンのクランク室間連通構造。
【請求項２】
直列する複数のシリンダスリーブ（２）を鋳包むシリンダブロック（１）に上部クランクケース半体（３ａ）を一体に成形し，この上部クランクケース半体（３ａ）と，この上部クランクケース半体（３ａ）に接合される下部クランクケース半体（３ｂ）とでクランクケース（３）を構成し，これら上部クランクケース半体（３ａ）及び下部クランクケース半体（３ｂ）には，クランク軸（５）の複数のクランクジャーナル（５ｊ）を協働して支承する複数の上部ジャーナル支持壁（１７）及び下部ジャーナル支持壁（１８）をそれぞれ一体に成形し，相対向する上部ジャーナル支持壁（１７）及び下部ジャーナル支持壁（１８）を，前記クランクジャーナル（５ｊ）を挟むように配置される一対の締め付けボルト（２０）により相互に締結した，多気筒エンジンにおいて，
前記上部ジャーナル支持壁（１７）には，この上部ジャーナル支持壁（１７）により仕切られるクランクケース（３）内の複数のクランク室（２２，２２）間を連通する，鋳肌の内面を持ったブリージング孔（２３）を，前記シリンダスリーブ（２）と前記一対の締め付けボルト（２０）とに囲まれる領域内で設けたことを特徴とする，多気筒エンジンのクランク室間連通構造。
【発明の詳細な説明】
【０００１】
【発明の属する技術分野】
本発明は，直列する複数のシリンダスリーブを有するシリンダブロックに上部クランクケース半体を連設し，この上部クランクケース半体と，この上部クランクケース半体に接合される下部クランクケース半体とでクランクケースを構成し，これら上部クランクケース半体及び下部クランクケース半体には，クランク軸の複数のクランクジャーナルを協働して支承する複数の上部ジャーナル支持壁及び下部ジャーナル支持壁をそれぞれ一体に成形し，相対向する上部ジャーナル支持壁及び下部ジャーナル支持壁を，前記クランクジャーナルを挟むように配置される一対の締め付けボルトにより相互に締結した，多気筒エンジンにおいて，前記上部ジャーナル支持壁に，このジャーナル支持壁により仕切られるクランクケース内の複数のクランク室間を連通するブリージング孔を設け，互いに位相を異にして隣接するピストンの昇降に伴ない，隣接するクランク室相互間でブリージングさせ，各ピストンの背圧による昇降抵抗を無くするようにした，多気筒エンジンのクランク室間連通構造の改良に関する。
【０００２】
【従来の技術】
かゝる多気筒エンジンのクランク室間連通構造は，例えば特開２０００−１３６７５２号公報に開示されているように，既に知られている。
【０００３】
【発明が解決しようとする課題】
ところで，上記公報に開示された多気筒エンジンのクランク室間連通構造では，前記ブリージング孔が締め付けボルトの軸線の延長線上に配置されており，上部ジャーナル支持壁の強度確保上，締め付けボルトの軸力を増強することに制限を受ける。
【０００４】
本発明は，かゝる事情に鑑みてなされたもので，締め付けボルトの軸力の強化を可能にした，前記多気筒エンジンのクランク室間連通構造を提供することを目的とする。
【０００５】
【課題を解決するための手段】
上記目的を達成するために，本発明は，直列する複数のシリンダスリーブを有するシリンダブロックに上部クランクケース半体を連設し，この上部クランクケース半体と，この上部クランクケース半体に接合される下部クランクケース半体とでクランクケースを構成し，これら上部クランクケース半体及び下部クランクケース半体には，クランク軸の複数のクランクジャーナルを協働して支承する複数の上部ジャーナル支持壁及び下部ジャーナル支持壁をそれぞれ一体に成形し，相対向する上部ジャーナル支持壁及び下部ジャーナル支持壁を，前記クランクジャーナルを挟むように配置される一対の締め付けボルトにより相互に締結した，多気筒エンジンにおいて，前記上部ジャーナル支持壁には，このジャーナル支持壁により仕切られるクランクケース内の複数のクランク室間を連通するブリージング孔を，前記シリンダスリーブと前記一対の締め付けボルトとに囲まれる領域内で設けたことを第１の特徴とする。
【０００６】
この第１の特徴によれば，ブリージング孔の上部ジャーナル支持壁の強度への影響を回避して，締め付けボルトの軸力の強化を図ることができる。
【０００７】
本発明は，直列する複数のシリンダスリーブを鋳包むシリンダブロックに上部クランクケース半体を一体に成形し，この上部クランクケース半体と，この上部クランクケース半体に接合される下部クランクケース半体とでクランクケースを構成し，これら上部クランクケース半体及び下部クランクケース半体には，クランク軸の複数のクランクジャーナルを協働して支承する複数の上部ジャーナル支持壁及び下部ジャーナル支持壁をそれぞれ一体に成形し，相対向する上部ジャーナル支持壁及び下部ジャーナル支持壁を，前記クランクジャーナルを挟むように配置される一対の締め付けボルトにより相互に締結した，多気筒エンジンにおいて，前記上部ジャーナル支持壁には，このジャーナル支持壁により仕切られるクランクケース内の複数のクランク室間を連通する，鋳肌の内面を持ったブリージング孔を，前記シリンダスリーブと前記一対の締め付けボルトとに囲まれる領域内で設けたことを第２の特徴とする。
【０００８】
この第２の特徴によれば，ブリージング孔の上部ジャーナル支持壁の強度への影響を回避して，締め付けボルトの軸力の強化を図ることができ，特にブリージング孔は，その内面を鋳肌のまゝとしてあるから，その孔による上部ジャーナル支持壁の強度低下を極力防ぐことができる。
【０００９】
またシリンダブロックの鋳造時，金型内に設置されるシリンダシリンダスリーブと，ブリージング孔を形成する中子との干渉を回避することができ，シリンダブロックの鋳造を容易に行うことが可能となる。
【００１０】
しかもシリンダブロックの鋳造後，ブリージング孔のための特別な機械加工が不要となるから，製造コストの低減に寄与し得る。
【００１１】
【発明の実施の形態】
本発明の実施の形態を，図面に示す本発明の好適な実施例に基づき以下に説明する。
【００１２】
図１は本発明の第１実施例に係る多気筒エンジンの縦断側面図，図２は図１の２−２線断面図，図３はブリージング孔の成形方法説明図，図４は本発明の第２実施例を示す，図２と対応する断面図である。
【００１３】
先ず，図１〜図３に示す本発明の第１実施例について説明する。
【００１４】
図１において，符号Ｅは本発明を適用した４サイクル・多気筒エンジンであり，具体的には直列４気筒エンジンである。即ち，エンジンＥのシリンダブロック２には，直列する４本のシリンダスリーブ２，２…が鋳包まれると共に，これらシリンダスリーブ２，２…の下方に上部クランクケース半体３ａが一体に成形される。その上部クランクケース半体３ａの下面に下部クランクケース半体１８がボルトにより結合され，この両クランクケース半体３ａ，３ｂにより，クランク軸５を収容，支持するクランクケース３が構成される。クランク軸５の４本のクランクピン５ｐ，５ｐ…には，対応するシリンダスリーブ２，２…に嵌装されるピストン６，６…がコンロッド７，７…を介して連接される。クランク軸５の両端側でそれぞれ隣接する２本のクランクピン５ｐ，５ｐには１８０°の位相差があるが，中央で隣接する２本のクランクピン５ｐ，５ｐは同位相である。
【００１５】
シリンダブロック２の上面には，各シリンダスリーブ２に対応する各一対の吸気弁８，８及び排気弁（図示せず）を装着したシリンダヘッド９がボルトにより結合され，このシリンダヘッド９と，その上面に接合されるヘッドカバー１０との間に画成される動弁室１１に，上記吸，排気弁を開閉駆動する動弁装置１２が配設され，該装置１２は調時伝動装置１３を介してクランク軸５より連結される。調時伝動装置１３を収容する伝動室１４は，シリンダブロック２及びシリンダヘッド９の一端部に形成される。
【００１６】
クランク軸５の，調時伝動装置１３と反対側の端部には，スタータ入力ギヤ１５と，発電機１６のロータとが取り付けられる。
【００１７】
図１及び図２に示すように，クランク軸５の全５個のクランクジャーナル５ｊ，５ｊ…を支承するために，上部クランクケース半体３ａ及び下部クランクケース半体１８には，各５枚の上部ジャーナル支持壁１７，１７…及び下部ジャーナル支持壁１８，１８…がそれぞれ一体に成形され，それぞれ対向する上部ジャーナル支持壁１７及び下部ジャーナル支持壁１８は，対応するクランクジャーナル５ｊを挟むように配置される一対の締め付けボルト２０，２０により結合される。その際，上部ジャーナル支持壁１７，１７…及び下部ジャーナル支持壁１８，１８…の接合面の適当な複数箇所に位置決め用のノックピン２１，２１が嵌入される。
【００１８】
クランクケース３の内部は，各５枚の上，下部ジャーナル支持壁１７，１７…；１８，１８…により４つのクランク室２２，２２…に仕切られ，隣接するクランク室２２，２２相互を連通する円形のブリージング孔２３が各上部ジャーナル支持壁１７に形成される。
【００１９】
図２に明示するように，各ブリージング孔２２は，クランクジャーナル５ｊの両側に配置される一対の締め付けボルト２０，２０とシリンダスリーブ２とに囲まれる領域内に配置される。しかも，このブリージング孔２３は，図３に示すように，シリンダブロック２の鋳造時，金型内に，同軸上で相対向して抜き差し可能に設置される中子ピン２４ａ，２４ｂにより形成されるものであり，したがってその内面は鋳肌のまゝとされる。
【００２０】
次に，この第１実施例の作用について説明する。
【００２１】
クランク軸５の両端側でそれぞれ隣接する２本のクランクピン５ｐ，５ｐは，互いに１８０°の位相差を持つので，エンジンＥの運転中，上記２本のクランクピン５ｐ，５ｐに対応する２本のピストン６，６の昇降運動方向は正反対となる。したがって，両ピストン６，６の昇降に伴ない，それらに対応する２つのクランク室２２，２２に生ずる圧力変動の方向も逆になるが，その両クランク室２２，２２は，それらの間の上部ジャーナル支持壁１７のブリージング孔２３を介して互いに連通しているから，相互間でブリージングを行うことにより，両クランク室２２，２２の圧力変動を相殺することができる。その結果，全ピストン６，５…の背圧による昇降抵抗を無くすることができる。
【００２２】
ところで，各上部ジャーナル支持壁１７のブリージング孔２３は，各クランクジャーナル５ｊの両側に配置される一対の締め付けボルト２０，２０とシリンダスリーブ２とに囲まれる領域内に配置されるので，ブリージング孔２３の上部ジャーナル支持壁１７，１７…の強度への影響を回避して，各締め付けボルト２０，２０…の軸力の強化を図ることができ，特に各ブリージング孔２３は，その内面を鋳肌のまゝとしてあるから，その孔２３による上部ジャーナル支持壁１７，１７…の強度低下を極力防ぐことができる。
【００２３】
また各ブリージング孔２３の上記配置により，シリンダブロック２の鋳造時，金型内に設置されるシリンダスリーブ２，２…と，ブリージング孔２３，２３…を形成する中子ピン２４ａ，２４ｂとの干渉を回避することができ，シリンダブロック２の鋳造を容易に行うことが可能となる。
【００２４】
しかもシリンダブロック２の鋳造後，ブリージング孔２３，２３…のための特別な機械加工が不要となるから，製造コストの低減に寄与し得る。
【００２５】
次に，図４に示す本発明の第２実施例について説明する。
【００２６】
この第２実施例では，上部ジャーナル支持壁１７のブリージング孔２３に形成される。その他の構成は，前実施例と略同様であるので，図４中，前実施例と対応する部分には同一の参照符号を付して，その説明を省略する。
【００２７】
上記第１及び第２実施例より明らかなように，上部ジャーナル支持壁１７のブリージング孔２３の形状は自由である。
【００２８】
本発明は，上記実施例に限定されるものではなく，その要旨を逸脱しない範囲で種々の設計変更が可能である。例えば，同一のエンジンＥにおいて，各上部ジャーナル支持壁１７毎にブリージング孔２３の形状を変えてもよい。また第１実施例のクランク軸５のように，中央部２本のクランクピン５ｐ，５ｐが同位相である場合には，その両クランクピン５ｐ，５ｐ間の上部ジャーナル支持壁１７にはブリージング孔２３を設けなくともよい。また本発明は，直列する気筒を２本以上備えるエンジンが適用対象であり，したがってＶ型，水平対向型等，エンジンの形式は問わない。また本発明の第１の特徴においては，ブリージング孔２３は機械加工により形成することもでき，またシリンダブロック１及び上部クランクケース半体３ａは，それぞれ個別に成形して相互にボルト結合することもできる。
【００２９】
【発明の効果】
以上のように本発明の第１の特徴によれば，直列する複数のシリンダスリーブを有するシリンダブロックに上部クランクケース半体を連設し，この上部クランクケース半体と，この上部クランクケース半体に接合される下部クランクケース半体とでクランクケースを構成し，これら上部クランクケース半体及び下部クランクケース半体には，クランク軸の複数のクランクジャーナルを協働して支承する複数の上部ジャーナル支持壁及び下部ジャーナル支持壁をそれぞれ一体に成形し，相対向する上部ジャーナル支持壁及び下部ジャーナル支持壁を，前記クランクジャーナルを挟むように配置される一対の締め付けボルトにより相互に締結した，多気筒エンジンにおいて，前記上部ジャーナル支持壁には，このジャーナル支持壁により仕切られるクランクケース内の複数のクランク室間を連通するブリージング孔を，前記シリンダスリーブと前記一対の締め付けボルトとに囲まれる領域内で設けたので，ブリージング孔の上部ジャーナル支持壁の強度への影響を回避して，締め付けボルトの軸力の強化を図ることができる。
【００３０】
また本発明の第２の特徴によれば，直列する複数のシリンダスリーブを鋳包むシリンダブロックに上部クランクケース半体を一体に成形し，この上部クランクケース半体と，この上部クランクケース半体に接合される下部クランクケース半体とでクランクケースを構成し，これら上部クランクケース半体及び下部クランクケース半体には，クランク軸の複数のクランクジャーナルを協働して支承する複数の上部ジャーナル支持壁及び下部ジャーナル支持壁をそれぞれ一体に成形し，相対向する上部ジャーナル支持壁及び下部ジャーナル支持壁を，前記クランクジャーナルを挟むように配置される一対の締め付けボルトにより相互に締結した，多気筒エンジンにおいて，前記上部ジャーナル支持壁には，このジャーナル支持壁により仕切られるクランクケース内の複数のクランク室間を連通する，鋳肌の内面を持ったブリージング孔を，前記シリンダスリーブと前記一対の締め付けボルトとに囲まれる領域内で設けたので，ブリージング孔の上部ジャーナル支持壁の強度への影響を回避して，締め付けボルトの軸力の強化を図ることができ，特にブリージング孔は，その内面を鋳肌のまゝとしてあるから，その孔による上部ジャーナル支持壁の強度低下を極力防ぐことができる。またシリンダブロックの鋳造時，金型内に設置されるシリンダスリーブと，ブリージング孔を形成する中子ピンとの干渉を回避することができ，シリンダブロックの鋳造を容易に行うことが可能となる。しかもシリンダブロックの鋳造後，ブリージング孔のための特別な機械加工が不要となるから，製造コストの低減に寄与し得る。
【図面の簡単な説明】
【図１】本発明の第１実施例に係る多気筒エンジンの縦断側面図
【図２】図１の２−２線断面図
【図３】ブリージング孔の成形方法説明図
【図４】本発明の第２実施例を示す，図２と対応する断面図
【符号の説明】
Ｅ・・・・・エンジン
１・・・・・シリンダブロック
３・・・・・シリンダスリーブ
３・・・・・クランクケース
３ａ・・・　上部クランクケース半体
３ｂ・・・・下部クランクケース半体
５・・・・・クランク軸
５ｊ・・・・クランクジャーナル
５ｐ・・・・クランクピン
１７・・・・上部ジャーナル支持壁
１８・・・・下部ジャーナル支持壁
２０・・・・締め付けボルト
【図１】
2004084559.tif 000003
【図２】
2004084559.tif 000004
【図３】
2004084559.tif 000005
【図４】
2004084559.tif 000006